(57)【要約】【課題】腰部を十分に保持固定することができると共に、ベルト装着時に簡便に固定具合を体型等に応じて調整することができる腰部サポートベルトの提供。【解決手段】背側ベルト部と腹側ベルト部を有するベルト本体と；  当該背側ベルト部に取り付けられている左右一対の腰当て部材と；  当該一対の腰当て部材のそれぞれに、及び／又は前記背側ベルト部の左右両側に、縦列状に対向配設されている複数の紐導通部と；  当該対向紐導通部に左右交互に順に挿通されて当該対向紐導通部間に架け渡されていると共に、両端側がそれぞれ背側ベルト部の左右外方に引き出されている対向紐導通部間隔の拡縮調整用紐と；  当該拡縮調整用紐に取り付けられている、紐の引き出し長さを所望の位置で止脱自在に固定する紐ロック具とを備えていることを特徴とする腰部サポートベルト。【選択図】図１
2019054894.tif 000002
【特許請求の範囲】
【請求項１】
背側ベルト部と腹側ベルト部を有するベルト本体と；
当該背側ベルト部に取り付けられている左右一対の腰当て部材と；
当該一対の腰当て部材のそれぞれに、及び／又は前記背側ベルト部の左右両側に、縦列状に対向配設されている複数の紐導通部と；
当該対向紐導通部に左右交互に順に挿通されて当該対向紐導通部間に架け渡されていると共に、両端側がそれぞれ背側ベルト部の左右外方に引き出されている対向紐導通部間隔の拡縮調整用紐と；
当該拡縮調整用紐に取り付けられている、紐の引き出し長さを所望の位置で止脱自在に固定する紐ロック具と
を備えていることを特徴とする腰部サポートベルト。
【請求項２】
前記紐ロック具が、紐ロック具保定手段により腰当て部材又は背側ベルト部に保定されていることを特徴とする請求項１記載の腰部サポートベルト。
【請求項３】
前記紐ロック具保定手段が、縫合、又は腰当て部材に取り付けられている拡縮調整用紐は挿通し得るが、紐ロック具は挿通し得ない間隙を有するループであることを特徴とする請求項２記載の腰部サポートベルト。
【請求項４】
前記一対の腰当て部材の形態が、手の平の外形状又は半月状を呈している板状体であることを特徴とする請求項１〜３のいずれか１項に記載の腰部サポートベルト。
【請求項５】
前記紐導通部の個数が、４つ以上の偶数個であることを特徴とする請求項１〜４のいずれか１項記載の腰部サポートベルト。
【請求項６】
前記腰当て部材の縦最大幅がベルト本体の縦最大幅より長寸となっていることを特徴とする請求項１〜５のいずれか１項記載の腰部サポートベルト。
【請求項７】
前記腰当て部材の縦最大幅がベルト本体の縦最大幅と同じベルト幅を有していることを特徴とする請求項１〜５のいずれか１項記載の腰部サポートベルト。
【請求項８】
請求項１〜７のいずれか１項記載の腰部サポートベルトを備えていることを特徴とする抱っこ装具。
【発明の詳細な説明】
【技術分野】
【０００１】
本発明は、腰部を保持する腰部サポートベルトに関する。
【背景技術】
【０００２】
従来、腰部のサポートベルトとしては、裏面が皮膚に密着して滑らない材質で、表面が面ファスナーが貼り付く材質からなり、所定間隔を置いて腰部の皮膚に直接当接する一対の面状のアンカー部と、一方のアンカー部に接続し、背部側中央部を通って他方のアンカー部へと回され、前記他方のアンカー部の表面に面ファスナーを介して貼り付け可能とされた第１サポートベルトと、前記他方のアンカー部に接続し、背部側中央部を通って前記一方のアンカー部へと回され、前記一方のアンカー部の表面に貼り付け可能とされた第２サポートベルトを有するもの（特許文献１）が既に知られている。
【０００３】
しかしながら、上記の如き従来のサポートベルトは、腰部への固定及びその固定具合の調整を単にベルト本体の左右端部に設けた面ファスナーの貼り付けにより行うものに過ぎなかったため、保持固定力が弱くなり易く、また、体型等に応じた固定具合の調整が困難と云う問題があった。
【先行技術文献】
【特許文献】
【０００４】
【特許文献１】特開２００９−１７９３２号公報
【発明の概要】
【発明が解決しようとする課題】
【０００５】
本発明は、上記の如き従来の問題に鑑みてなされたものであり、腰部を十分に保持固定することができると共に、ベルト装着時に簡便に固定具合を体型等に応じて調整することができる腰部サポートベルトを提供することを課題としている。
【課題を解決するための手段】
【０００６】
本発明者は、上記の課題を解決すべく種々研究を重ねた結果、ベルト本体とは別部材の腰当て部材を、背側ベルト部に左右一対取り付けると共に、当該腰当て部材に縦列状に対向配設されている紐導通部間に拡縮調整用紐を架け渡しつつ、背側ベルト部の左右外方に引き出した紐部材を所望の位置で適宜固定保持すれば、極めて良い結果が得られることを見い出し、本発明を完成した。
【０００７】
すなわち、本発明は、
背側ベルト部と腹側ベルト部を有するベルト本体と；
当該背側ベルト部に取り付けられている左右一対の腰当て部材と；
当該一対の腰当て部材のそれぞれに、及び／又は前記背側ベルト部の左右両側に、縦列状に対向配設されている複数の紐導通部と；
当該対向紐導通部に左右交互に順に挿通されて当該対向紐導通部間に架け渡されていると共に、両端側がそれぞれ背側ベルト部の左右外方に引き出されている対向紐導通部間隔の拡縮調整用紐と；
当該拡縮調整用紐に取り付けられている、紐の引き出し長さを所望の位置で止脱自在に固定する紐ロック具と
を備えていることを特徴とする腰部サポートベルトにより上記課題を解決したものである。
【発明の効果】
【０００８】
本発明の腰部サポートベルトによれば、ベルト本体のみならず、腰当て部材が存在するので、両者の相乗効果により腰部への押圧固定力が高まる。しかも、拡縮調整用紐により対向紐導通部間隔を自在に調整し得るので、体型等に応じて腰部への腰当て部材の固定具合の調整・保持を簡便に行うことができ、的確かつ安定に腰部を保持固定した状態でベルト本体を装着することができ、腰部への負担が軽減される。
而して、本発明サポートベルトは、腰部への負担が大きい縦抱き姿勢で保持する抱っこ装具に用いるのが特に効果的である。
【図面の簡単な説明】
【０００９】
【図１】本発明第１の実施の形態に係る腰部サポートベルトの外面側説明図。
【図２】本発明第１の実施の形態に係る腰部サポートベルトの内面側要部説明図。
【図３】本発明第２の実施の形態に係る腰部サポートベルトの外面側説明図。
【図４】本発明第２の実施の形態に係る腰部サポートベルトの内面側説明図。
【発明を実施するための形態】
【００１０】
以下本発明の実施の形態を図面と共に説明する。
【００１１】
本発明腰部サポートベルトの第１の実施の形態を示す図１及び図２において、１０は使用者の腰部に巻回装着されるベルト本体で、背側ベルト部１１と、その両側に着脱自在の連結具１３ａ、１３ｂを介して連結された腹側ベルト部１２とから構成されている。この連結具１３ａ、１３ｂとしては、例えば、挿脱式連結バックルや複数のスリット挿通ロック式連結バックルが好適に使用される。
ベルト本体の材質は、特に限定されないが、非伸縮性のものが押圧固定性の点で好ましい。また、背側ベルト部１１と腹側ベルト部１２は、同一材質に限らず適宜異なる材質としてもよい。
【００１２】
背側ベルト部１１の内面側（ベルト装着時人体側）には、左右一対の腰当て部材２０ａ、２０ｂが、ベルト装着時腰椎の両側に左右対称に位置するように取り付けられている。この腰当て部材２０ａ、２０ｂは、その縦最大幅（腰上部から腰下部への長さ方向）がベルト本体１０の縦最大幅（同上）より長寸となっている。
腰当て部材２０ａ、２０ｂの背側ベルト部１１への取り付け方法は特に限定されないが、例えば、背側ベルト部１１への縫合、背側ベルト部１１に縫合したポケット部への収容封止等が挙げられる。腰当て部材２０ａ、２０ｂの材質もその種類の如何を問わないが、腰部の押圧固定力を高める点から、特に弾力性、復元性に秀でたＥＶＡ樹脂、ウレタン樹脂等の合成樹脂や、織布、不織布が好適なものとして挙げられる。腰当て部材２０ａ、２０ｂの形態としては、特に限定されないが、例えば、図１、図２に示すような、手の平の外形状を呈した板状体で、厚さが０．５〜１．５ｃｍ程度のものが腰部の押圧固定力を高める上で望ましい。
【００１３】
腰当て部材２０ａ、２０ｂの外面側（ベルト装着時人体側と反対側）には、ベルト装着時腰椎の両側に左右対称に位置するように、夫々４つずつ縦列状に、合計８つの紐導通部３０ａ、３０ｂが対向配設されている。腰当て部材２０ａ、２０ｂと背側ベルト部１１が重ならない部分にある４つの紐導通部３０ａ、３０ｂは、腰当て部材２０ａ、２０ｂに形設されていると共に、腰当て部材２０ａ、２０ｂと背側ベルト部１１が重なる部分にある４つの紐導通部３０ａ、３０ｂは、背側ベルト部１１に形設されている。
紐導通部３０ａ、３０ｂの形態としては、紐を挿通し得るものであれば特に限定されず、例えば、穴やループ或いは図１に示される滑車等が挙げられる。当該ループや滑車等の別部材の場合は、当該別部材の材質に応じて直接縫合や間接縫合等の手段により腰当て部材２０ａ、２０ｂや、背側ベルト部１１に取り付け固定される。尚、当該ループや滑車の別部材の材質は特に限定されず、例えば、布地、合成樹脂、金属等が適宜使用される。紐導通部３０ａ、３０ｂの具体的な形設位置は、ベルト装着時腰椎から大きく離れない位置であれば良く、例えば腰椎からの距離が２〜１０ｃｍ程度の位置とするのが望ましい。
【００１４】
４０ａ、４０ｂは対向する紐導通部３０ａ、３０ｂの間隔の拡縮調整用紐で、対向する紐導通部３０ａ、３０ｂに左右交互に順に挿通されて当該対向する紐導通部３０ａ、３０ｂ間に架け渡されていると共に、その両端側がそれぞれ背側ベルト部１１の左右外方に引き出されている。具体的な架け渡し例を示す図１においては、２本の拡縮調整用紐４０ａ、４０ｂが左右片側４つずつの紐導通部３０ａ、３０ｂに、片側で一つ置きにそれぞれ一本ずつ次のように架け渡されている。
すなわち、第１の４０ａは、左側の下から1番目→右側の下から３番目→左側の下から３番目→右側の下から１番目を経て左側方向に引き出されていると共に、第２の紐４０ｂは、右側の下から２番目→左側の下から４番目→右側の下から４番目→左側の下から２番目を経て右側方向に引き出されて、腰椎の両側で左右対称となるように架け渡されている。尚、この実施の形態では、２本の拡縮調整用紐４０ａ、４０ｂが用いられているが、拡縮操作が可能であれば、１本のみの架け渡しであっても良い。
【００１５】
背側ベルト部１１の左右外方に引き出された各２本の拡縮調整用紐４０ａ、４０ｂには、紐の引き出しを所望の位置で止脱自在に固定する紐ロック具４１ａ、４１ｂがそれぞれ取り付けられていると共に、当該紐の両端部には、紐が紐ロック具４１ａ、４１ｂから挿通脱落するのを防止する紐ストッパー４２ａ、４２ｂが付設されている。この紐ロック具４１ａ、４１ｂとしては、例えば、汎用されている紐挿通挾持式留め具が好適に使用される。尚、この実施の形態では、拡縮調整用紐４０ａ、４０ｂの端部それぞれに紐ストッパーがひとつ付設されているが、拡縮調整用紐４０ａ、４０ｂの端部を纏めて紐ストッパーをひとつ付設しても良い。
【００１６】
また、この紐ロック具４１ａ、４１ｂは、紐ロック具保定手段１１ａ、１１ｂによりそれぞれ腰当て部材２０ａ、２０ｂに取り付けられている。この紐ロック具保定手段１１ａ、１１ｂとしては、特に限定されないが、例えば、面ファスナーや縫合等が挙げられる。これにより、紐ロック具４１ａ、４１ｂがベルト着用時に、左右外方に引き出されている紐と共に、紐導通部３０ａ、３０ｂ方向にスライド動することが阻止されてるので、紐ロック具４１ａ、４１ｂで固定された紐の引き出し長さを、一人で拡縮操作するのに十分な長さとして確保することができる。
【００１７】
上述の実施の形態に係る本発明腰部サポートベルトによれば、ベルト本体１０装着後、腰椎の両側の腰下部の位置において拡縮調整用紐４０ａ、４０ｂを両手で左右外方に引っ張り、紐ロック具４１ａ、４１ｂを拡縮調整用紐４０ａ、４０ｂの所望の位置でロック操作して固定することにより、一対の腰当て部材２０ａ、２０ｂを腰部に当接固定することができる。他方、紐ロック具４１ａ、４１ｂのアンロック操作により固定は解除され、一対の腰当て部材２０ａ、２０ｂの腰部への当接固定を外すことができる。このようにして、腰当て部材２０ａ、２０ｂを的確に腰部に保持固定でき、かつその腰部への固定具合を簡便に調整することができる。
【００１８】
図３及び図４は、本発明腰部サポートベルトの第２の実施の形態を示すものであるが、以下の点を除き、第１の実施の形態と同様に構成されている（図中、同一部材名については同一符号で表記している）。
【００１９】
この実施の形態におけるベルト本体１０は、背側ベルト１１と腹側ベルト部１２が分離不能に一体的に構成されている。尚、一体的構成体であれば、一体成形体、複数パーツの連結体の如何を問わない。また、ベルト本体１０は、一体の腰当て部材２０ａ、２０ｂの縦最大幅（腰上部から腰下部への長さ方向）と同じベルト幅を有していると共に、腹側ベルト１２の両端部の内面と外面には、前合わせ止着可能に面ファスナー部１２ａ、１２ｂが設けられている。
【００２０】
この実施の形態における一対の腰当て部材２０ａ、２０ｂは、ポケット部に収容された状態で背側ベルト部１１の外面側に取り付けられ、ベルト装着時、非装着時とも、腰椎上においてその一部が互いに重なっている。また、腰当て部材２０ａ、２０ｂは、厚さが０．２〜１ｃｍ程度の半月状を呈した板状体となっている。
【００２１】
この実施の形態における紐導通部３０ａ、３０ｂはループタイプで、何れも背側ベルト部１１の外面側（ベルト装着人体側と反対側）に縫合により取り付けられている。
【００２２】
また、背側ベルト部１１の左右両側において紐ロック具４１ａ、４１ｂは、紐ロック具保定手段１１ａ、１１ｂによりそれぞれ背側ベルト部１１の左右両側に、具体的には面ファスナー部１２ａ、１２ｂのつなぎの位置に取り付けられている。この実施の形態では、紐ロック具保定手段１１ａ、１１ｂは縫合であるが、２本の拡縮調整用紐４０ａ、４０ｂは挿通し得るが紐ロック具４１ａ、４１ｂは挿通し得ない間隙を有するループである紐ロック具保定手段１１ａ、１１ｂにより、背側ベルト部１１の左右両側に保定されていても良い。また、紐ロック具４１ａ、４１ｂの保定位置は、背側ベルト部１１の左右両側のいずれの位置であっても良い。  
【００２３】
上記の両実施の形態において、紐導通部３０ａ、３０ｂの個数は、左右夫々４つずつ、合計８つとなっているが、複数であればよく、例えば、左右夫々１つずつ、合計２つや、左右夫々２つずつ、合計４つ、左右夫々３つずつ、合計６つ等であってもよい。ベルトの腰部への固定具合を簡便に調整する点から、及び操作性の点からは、紐導通部の個数は、４つ以上の偶数個であることが望ましく、特に４つ〜８つの間の偶数個であることが望ましい。
また、紐導通部３０ａ、３０ｂへの拡縮調整用紐４０ａ、４０ｂの架け渡し方は特に限定されないが、図１、図３に示すように、腰椎の両側で左右対称となるように、さらに腰椎上において拡縮調整用紐４０ａ、４０ｂが交差するよう架け渡すのが、腰部の押圧固定力を高める上で望ましい。
【符号の説明】
【００２４】
１０：ベルト本体
１１：背側ベルト部
１１ａ、１１ｂ：紐ロック具保定手段
１２：腹側ベルト部
１２ａ、１２ｂ：面ファスナー部
１３ａ、１３ｂ：連結具
２０ａ、２０ｂ：腰当て部材
３０ａ、３０ｂ：紐導通部
４０ａ、４０ｂ：拡縮調整用紐
４１ａ、４１ｂ：紐ロック具
４２ａ、４２ｂ：紐ストッパー
【図１】
2019054894.tif 000003
【図２】
2019054894.tif 000004
【図３】
2019054894.tif 000005
【図４】
2019054894.tif 000006